【手続補正書】
【提出日】平成16年4月7日(2004.4.7)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2004530006.tif 000001
［式中、Ｒ１，Ｒ２，Ｒ３，Ｒ４，Ｒ５，Ｒ６，Ｒ７，Ｒ８，Ｒ９，およびＲ１０は、独立して、水素、Ｃ１〜Ｃ９アルキル、ヒドロキシ、Ｃ１〜Ｃ９アルコキシ、Ｃ１〜Ｃ９アルキレンオキシ、アミン、およびＣ１〜Ｃ９アルキルアミン、ハロゲン、フェニル、アルキルフェニル、およびジェミナルな或いは隣接する炭素数が９個までの炭素環よりなる群から選ばれ、Ｒ'およびＲ''は、同一でも異なっていてもよく、独立して、水素、Ｃ１〜Ｃ３０アルキル、ヒドロキシ、アミン、ポリアミン、ポリオキシアミン、Ｃ１〜Ｃ３０アルキルアミン、フェニル、ハロゲン、Ｃ１〜Ｃ３０アルコキシ、Ｃ１〜Ｃ３０ポリオキシアルキル、Ｃ（Ｏ）−ＮＲ１１Ｃ（Ｏ）、およびＣ（Ｏ）Ｏ−Ｒ'''よりなる群から選ばれ、ここで、Ｒ１１は、Ｃ１〜Ｃ３０アルキル、水素、Ｃ１〜Ｃ３０アルコキシ、およびＣ１〜Ｃ３０ポリオキシアルキルよりなる群から選ばれ、Ｒ'''は、水素、金属イオン、有機カチオン、ポリオキシ−Ｃ２〜Ｃ１８−アルキレン、Ｃ１〜Ｃ３０アルキル、Ｃ１〜Ｃ３０アルキレン、Ｃ１〜Ｃ３０アルキレンオキシ、ステロイド部分、フェニル、ポリフェニル、Ｃ１〜Ｃ３０アルキルハライド、およびＣ１〜Ｃ３０アルキルアミンよりなる群から選ばれる；ここで、Ｒ'およびＲ''の少なくとも一つはＣ（Ｏ）−ＮＲ１１Ｃ（Ｏ）ＯまたはＣ（Ｏ）Ｏ−Ｒ'''であり、ここで、Ｒ'およびＲ''がいずれもＣ（Ｏ）Ｏ−Ｒ'''である場合は、Ｒ'およびＲ''の両方のＲ'''が結合して単一の２価金属イオンまたは単一の３価金属過塩基を形成してよい。］
の構造に従う化合物。
【請求項２】
化合物が式（II）：
【化２】
2004530006.tif 000002
［式中、Ｍ１およびＭ２は同一でも異なっていてもよく、独立して、金属または有機カチオンよりなる群から選ばれ、またはＭ１およびＭ２が共に結合して単一の２価を形成する；Ｒ１，Ｒ２，Ｒ３，Ｒ４，Ｒ５，Ｒ６，Ｒ７，Ｒ８，Ｒ９，およびＲ１０は、独立して、水素、Ｃ１〜Ｃ９アルキル、ヒドロキシ、Ｃ１〜Ｃ９アルコキシ、Ｃ１〜Ｃ９アルキレンオキシ、アミン、Ｃ１〜Ｃ９アルキルアミン、ハロゲン、フェニル、アルキルフェニル、およびジェミナルな或いは隣接する炭素数が９個までの炭素環よりなる群から選ばれる。］
の構造に従う請求項１に記載の化合物。
【請求項３】
化合物上の金属または有機カチオンが、第Ｉ族および第II族金属イオンよりなる群から選ばれる金属カチオンである請求項２に記載の化合物。
【請求項４】
化合物上の金属カチオンが、ナトリウム、カリウム、カルシウム、リチウム、ルビジウム、バリウム、マグネシウム、ストロンチウム、銀、亜鉛、アルミニウムよりなる群から選ばれる請求項３に記載の化合物。
【請求項５】
金属カチオンがナトリウムまたはカルシウムである請求項４に記載の化合物。
【請求項６】
請求項１〜５のいずれかに記載の化合物を少なくとも一つ含んでなるポリマー添加剤組成物であって、該添加剤組成物が粉末、ペレット、または液体であり、該組成物が少なくとも一つのポリマーを更に含有し、可塑剤、酸捕捉剤、抗酸化剤、抗菌剤、難燃剤、光安定剤、帯電防止剤、染料、顔料、およびこれらの任意の組み合わせよりなる群から選ばれる少なくとも一つの化合物を任意に含有するポリマー添加剤組成物。
【請求項７】
有核熱可塑性樹脂製品の製造方法であって、
ａ）溶融した熱可塑性樹脂配合物を供給し、
ｂ）請求項６に記載のポリマー添加剤組成物の少なくとも一つを添加し、
ｃ）工程ｂ）の組成物を製品中で冷却する、
の工程を含んでなる方法。
【請求項８】
繊維、薄膜フィルム或いは薄肉製品、厚さが約１５〜１５０ミルの厚肉プラック或いは他の固体製品、および１５０ミルより大きな厚さの厚肉製品よりなる群から選ばれる熱可塑性樹脂製品であって、該熱可塑性樹脂製品が請求項１〜５のいずれかに記載の化合物を含んでなる熱可塑性樹脂製品。
【請求項９】
ポリオレフィンを含んでなる請求項８に記載の熱可塑性樹脂製品。
【手続補正２】
【補正対象書類名】明細書
【補正対象項目名】００３８
【補正方法】変更
【補正の内容】
【００３８】
（実施例７）
ビシクロ［２．２．１］ヘプタン−２，３−ジカルボン酸
100.0g（438.3ｍモル）の２ナトリウムビシクロ[2.2.1]ヘプタン-2,3-ジカルボキシレート（228.15g/モル）および280mlの水を、２Ｌの三角フラスコ中へ撹拌しながら供給した。この溶液中へ、得られた溶液のｐＨが〜１となるまで発煙硫酸を添加した。ｐＨが酸性になると、白色の綿状沈殿が形成した。溶液を撹拌し、室温まで冷却した。沈殿を真空濾過により除去し、真空オーブン中、110℃で夜通し乾燥した。得られた生成物を乾燥し、製粉した。IRの解析は、予期した構造のものと合致していた。（6301樹脂、ヘイズ＝37.2およびＴｃ＝126.3、2500ppm）
【手続補正３】
【補正対象書類名】明細書
【補正対象項目名】００３９
【補正方法】変更
【補正の内容】
【００３９】
（実施例８）
ナトリウム；２−オクタデシルオキシカルボニル−３−ビシクロ［２．２．１］ヘプタンカルボキシレート
50.0g（301ｍモル）のビシクロ[2.2.1]ヘプタン-2,3-ジカルボキシル無水物（166.17g/モル）および81.2g（300ｍモル）のステアリルアルコール（270.49g/モル）を、撹拌部品、温度計、およびDean-Stark凝縮器を備えた500ｍＬの丸底フラスコ中へ供給した。その溶液を150℃で加熱しながら２時間撹拌して、125gの酸エステル、2-オクタデシルオキシカルボニル-3-ビシクロ[2.2.1]ヘプタンカルボン酸（IRおよび酸価により確認）を得た。この酸エステル生成物50.0g（114.6ｍモル）を、500mlのメタノールと共に600mlのビーカー中で、溶液が乳状に変化するまで撹拌した。NaOH（4g/40mlメタノール）を滴下して加えることにより、懸濁液をｐＨ11.5とした。メタノールを回転式エバポレーションによって除去し、得られた試料を室温で風乾した。IRの解析は、予期した構造のものと合致していた。（6301樹脂、ヘイズ＝37.2およびＴｃ＝126.3、2500ppm）
【手続補正４】
【補正対象書類名】明細書
【補正対象項目名】００４０
【補正方法】変更
【補正の内容】
【００４０】
（実施例９）
ナトリウム；２−（ポリ（ポリプロピレンオキシド−モノブチルエーテル））イルカルボニル−３−ビシクロ［２．２．１］ヘプタンカルボキシレート
20.0g（120ｍモル）のビシクロ[2.2.1]ヘプタン-2,3-ジカルボキシル無水物（166.17g/モル）および40.9g（120ｍモル）のステアリルアルコール（〜340g/モル）を、撹拌部品、温度計、およびアルゴンブランケットを備えた200ｍＬの丸底フラスコ中へ供給した。その溶液を150℃で加熱しながら２時間撹拌して、酸エステルを液体として得た（IRおよび酸価により確認）。その液体を、100mlのメタノールと共に250mlのビーカーへ移し、NaOH（4g/40mlメタノール）を滴下して加えることによりｐＨ12とした。メタノールを回転式エバポレーションによって除去し、得られた試料を室温で風乾した。IRの解析は、予期した構造のものと合致していた。（6501樹脂、ヘイズ＝32.1およびＴｃ＝126.0、2500ppm）
【手続補正５】
【補正対象書類名】明細書
【補正対象項目名】００４１
【補正方法】変更
【補正の内容】
【００４１】
（実施例１０）
２−コレステリルカルボニル−３−ビシクロ［２．２．１］ヘプタンカルボン酸
8.59g（51.7ｍモル）のビシクロ[2.2.1]ヘプタン-2,3-ジカルボキシル無水物（166.17g/モル）および20g（51.7ｍモル）のコレステロール（386.66g/モル）を、撹拌部品および温度計を備えた100ｍＬの丸底フラスコ中へ供給した。その溶液を150℃で加熱しながら２時間撹拌して、酸エステルを得た（IRおよび酸価により確認）。得られた試料を室温で風乾した。IRの解析は、予期した構造のものと合致していた。（6501樹脂、ヘイズ＝61.1およびＴｃ＝119.3、2500ppm）
【手続補正６】
【補正対象書類名】明細書
【補正対象項目名】００８６
【補正方法】変更
【補正の内容】
【００８６】
本発明の好ましい態様を次に示す。
１．繊維、薄膜フィルム或いは薄肉製品、厚さが約１５〜１５０ミルの厚肉プラック或いは他の固体製品、および１５０ミルより大きな厚さの厚肉製品よりなる群から選ばれる熱可塑性樹脂製品であって、該熱可塑性樹脂製品が式（Ｉ）：
【化３】
2004530006.tif 000003
［式中、Ｒ１，Ｒ２，Ｒ３，Ｒ４，Ｒ５，Ｒ６，Ｒ７，Ｒ８，Ｒ９，およびＲ１０は、独立して、水素、Ｃ１〜Ｃ９アルキル、ヒドロキシ、Ｃ１〜Ｃ９アルコキシ、Ｃ１〜Ｃ９アルキレンオキシ、アミン、およびＣ１〜Ｃ９アルキルアミン、ハロゲン、フェニル、アルキルフェニル、およびジェミナルな或いは隣接するＣ１〜Ｃ９炭素環よりなる群から選ばれ、Ｒ'およびＲ''は、同一でも異なっていてもよく、独立して、水素、Ｃ１〜Ｃ３０アルキル、ヒドロキシ、アミン、ポリアミン、ポリオキシアミン、Ｃ１〜Ｃ３０アルキルアミン、フェニル、ハロゲン、Ｃ１〜Ｃ３０アルコキシ、Ｃ１〜Ｃ３０ポリオキシアルキル、Ｃ（Ｏ）−ＮＲ１１Ｃ（Ｏ）、およびＣ（Ｏ）Ｏ−Ｒ'''よりなる群から選ばれ、ここで、Ｒ１１は、Ｃ１〜Ｃ３０アルキル、水素、Ｃ１〜Ｃ３０アルコキシ、およびＣ１〜Ｃ３０ポリオキシアルキルよりなる群から選ばれ、Ｒ'''は、水素、金属イオン、有機カチオン、ポリオキシ−Ｃ２〜Ｃ１８−アルキレン、Ｃ１〜Ｃ３０アルキル、Ｃ１〜Ｃ３０アルキレン、Ｃ１〜Ｃ３０アルキレンオキシ、ステロイド部分、フェニル、ポリフェニル、Ｃ１〜Ｃ３０アルキルハライド、およびＣ１〜Ｃ３０アルキルアミンよりなる群から選ばれる；ここで、Ｒ'およびＲ''の少なくとも一つはＣ（Ｏ）−ＮＲ１１Ｃ（Ｏ）ＯまたはＣ（Ｏ）Ｏ−Ｒ'''であり、ここで、Ｒ'およびＲ''がいずれもＣ（Ｏ）Ｏ−Ｒ'''である場合は、Ｒ'およびＲ''の両方のＲ'''が結合して単一の２価金属イオンまたは単一の３価金属過塩基を形成してよい。］
の構造に従う化合物を含んでなる熱可塑性樹脂製品。
２．化合物が式（II）：
【化４】
2004530006.tif 000004
［式中、Ｍ１およびＭ２は同一でも異なっていてもよく、独立して、金属または有機カチオンよりなる群から選ばれ、またはＭ１およびＭ２が共に結合して単一の２価を形成してよく、Ｒ１，Ｒ２，Ｒ３，Ｒ４，Ｒ５，Ｒ６，Ｒ７，Ｒ８，Ｒ９，およびＲ１０は、独立して、水素、Ｃ１〜Ｃ９アルキル、ヒドロキシ、Ｃ１〜Ｃ９アルコキシ、Ｃ１〜Ｃ９アルキレンオキシ、アミン、Ｃ１〜Ｃ９アルキルアミン、ハロゲン、フェニル、アルキルフェニル、およびジェミナルな或いは隣接するＣ１〜Ｃ９炭素環よりなる群から選ばれる。］
の構造に従う化合物である前記第１に記載の熱可塑性樹脂製品。
３．化合物上の金属または有機カチオンが、第Ｉ族および第II族金属イオンよりなる群から選ばれる金属カチオンである前記第１に記載の製品。
４．化合物上の金属カチオンが、ナトリウム、カリウム、カルシウム、リチウム、ルビジウム、バリウム、マグネシウム、ストロンチウム、銀、亜鉛、アルミニウムよりなる群から選ばれる前記第３に記載の製品。
５．金属カチオンがナトリウムまたはカルシウムである前記第３に記載の製品。
６．ポリオレフィンを含んでなる前記第１に記載の熱可塑性樹脂製品。
７．ポリオレフィンを含んでなる前記第２に記載の熱可塑性樹脂製品。
８．ポリオレフィンを含んでなる前記第３に記載の熱可塑性樹脂製品。
９．ポリオレフィンを含んでなる前記第４に記載の熱可塑性樹脂製品。
１０．製品が繊維である前記第５に記載の熱可塑性樹脂製品。
１１．製品が薄膜フィルム製品である前記第５に記載の熱可塑性樹脂製品。
１２．製品が厚さ約１５〜１５０ミルの厚肉プラック或いは他の固体製品、薄膜フィルム製品である前記第５に記載の熱可塑性樹脂製品。
１３．製品が１５０ミルより大きな厚さの厚肉製品である前記第５に記載の熱可塑性樹脂製品。
１４．式（Ｉ）：
【化５】
2004530006.tif 000005
［式中、Ｒ１，Ｒ２，Ｒ３，Ｒ４，Ｒ５，Ｒ６，Ｒ７，Ｒ８，Ｒ９，およびＲ１０は、独立して、水素、Ｃ１〜Ｃ９アルキル、ヒドロキシ、Ｃ１〜Ｃ９アルコキシ、Ｃ１〜Ｃ９アルキレンオキシ、アミン、およびＣ１〜Ｃ９アルキルアミン、ハロゲン、フェニル、アルキルフェニル、およびジェミナルな或いは隣接するＣ１〜Ｃ９炭素環よりなる群から選ばれ、Ｒ'およびＲ''は、同一でも異なっていてもよく、独立して、水素、Ｃ１〜Ｃ３０アルキル、ヒドロキシ、アミン、ポリアミン、ポリオキシアミン、Ｃ１〜Ｃ３０アルキルアミン、フェニル、ハロゲン、Ｃ１〜Ｃ３０アルコキシ、Ｃ１〜Ｃ３０ポリオキシアルキル、Ｃ（Ｏ）−ＮＲ１１Ｃ（Ｏ）、およびＣ（Ｏ）Ｏ−Ｒ'''よりなる群から選ばれ、ここで、Ｒ１１は、Ｃ１〜Ｃ３０アルキル、水素、Ｃ１〜Ｃ３０アルコキシ、およびＣ１〜Ｃ３０ポリオキシアルキルよりなる群から選ばれ、Ｒ'''は、水素、金属イオン、有機カチオン、ポリオキシ−Ｃ２〜Ｃ１８−アルキレン、Ｃ１〜Ｃ３０アルキル、Ｃ１〜Ｃ３０アルキレン、Ｃ１〜Ｃ３０アルキレンオキシ、ステロイド部分、フェニル、ポリフェニル、Ｃ１〜Ｃ３０アルキルハライド、およびＣ１〜Ｃ３０アルキルアミンよりなる群から選ばれる；ここで、Ｒ'およびＲ''の少なくとも一つはＣ（Ｏ）−ＮＲ１１Ｃ（Ｏ）ＯまたはＣ（Ｏ）Ｏ−Ｒ'''であり、ここで、Ｒ'およびＲ''がいずれもＣ（Ｏ）Ｏ−Ｒ'''である場合は、Ｒ'およびＲ''の両方のＲ'''が結合して単一の２価金属イオンまたは単一の３価金属過塩基を形成してよい。］
の構造に従う化合物。
１５．化合物が式（II）：
【化６】
2004530006.tif 000006
［式中、Ｍ１およびＭ２は同一でも異なっていてもよく、独立して、金属または有機カチオンよりなる群から選ばれ、またはＭ１およびＭ２が共に結合して単一の２価を形成する；Ｒ１，Ｒ２，Ｒ３，Ｒ４，Ｒ５，Ｒ６，Ｒ７，Ｒ８，Ｒ９，およびＲ１０は、独立して、水素、Ｃ１〜Ｃ９アルキル、ヒドロキシ、Ｃ１〜Ｃ９アルコキシ、Ｃ１〜Ｃ９アルキレンオキシ、アミン、Ｃ１〜Ｃ９アルキルアミン、ハロゲン、フェニル、アルキルフェニル、およびジェミナルな或いは隣接するＣ１〜Ｃ９炭素環よりなる群から選ばれる。］
の構造に従う前記第１３に記載の化合物。
１６．化合物上の金属または有機カチオンが、第Ｉ族および第II族金属イオンよりなる群から選ばれる金属カチオンである前記第１４に記載の化合物。
１７．化合物上の金属カチオンが、ナトリウム、カリウム、カルシウム、リチウム、ルビジウム、バリウム、マグネシウム、ストロンチウム、銀、亜鉛、アルミニウムよりなる群から選ばれる前記第１５に記載の化合物。
１８．金属カチオンがナトリウムまたはカルシウムである前記第３に記載の化合物。
１９．前記第１３に記載の化合物を少なくとも一つ含んでなるポリマー添加剤組成物であって、該添加剤組成物が粉末、ペレット、または液体であり、該組成物が少なくとも一つのポリマーを更に含有し、可塑剤、酸捕捉剤、抗酸化剤、抗菌剤、難燃剤、光安定剤、帯電防止剤、染料、顔料、およびこれらの任意の組み合わせよりなる群から選ばれる少なくとも一つの化合物を任意に含有するポリマー添加剤組成物。
２０．有核熱可塑性樹脂製品の製造方法であって、
ａ）溶融した熱可塑性樹脂配合物を供給し、
ｂ）前記第１３に記載の式（Ｉ）に従う化合物の少なくとも一つを添加し、
ｃ）工程ｂ）の組成物を製品中で冷却する、
の工程を含んでなる方法。
本発明を詳述したが、当業者が本発明の範囲を逸脱することなく、これに変形や修正を加え得ることは明らかである。よって、本発明の範囲は添付した特許請求の範囲によってのみ決定されるべきである。